(57)【要約】【課題】高齢者及び身体弱者用に改良された理美容椅子を提供する。【解決手段】肘掛部３，３の左右少なくとも一方が、後端近傍の鉛直軸心Ｌを中心として、全体を後方へ揺動させて、側方から座部２への乗り降り可能に構成されている。【選択図】図１
2016016219.tif 000002
【特許請求の範囲】
【請求項１】
肘掛部（３）（３）の左右少なくとも一方が、後端近傍の鉛直軸心（Ｌ）を中心として、全体を後方へ揺動させて、側方から座部（２）への乗り降り可能に構成されたことを特徴とする理美容椅子。
【発明の詳細な説明】
【技術分野】
【０００１】
本発明は、理美容椅子に関する。
【背景技術】
【０００２】
従来、肘掛け部が左右両側に固設された理美容椅子が知られている（特許文献１参照）。
【先行技術文献】
【特許文献】
【０００３】
【特許文献１】特開２００９−２６８７１１号公報
【発明の概要】
【発明が解決しようとする課題】
【０００４】
しかし、特許文献１記載の理美容椅子は、座部に腰掛ける際、前方から後向きに腰を下ろさなければならなかった。特に、高齢者や身体弱者にとっては、後方の座部を目視できないまま腰を下ろすのが難しかった。一般的に、高齢者や身体弱者が車椅子から理美容椅子に移動する際には、通常であれば介助が必要となり、座部の左右両側に固定された肘掛けが邪魔になり、介助者の負担が増大すると共に、車椅子から理美容椅子への乗り降りに時間がかかるという欠点があった。
【０００５】
そこで、本発明は、上記の問題を解決すべく、高齢者及び身体弱者用に改良された理美容椅子を提供することを目的とする。
【課題を解決するための手段】
【０００６】
本発明に係る理美容椅子は、肘掛部の左右少なくとも一方が、後端近傍の鉛直軸心を中心として、全体を後方へ揺動させて、側方から座部への乗り降り可能に構成されたものである。
【発明の効果】
【０００７】
本発明の理美容椅子によれば、高齢者や身体弱者が、容易かつ迅速に、乗り降りできる。即ち、肘掛部を後方へ揺動させることで乗り降りの邪魔になることなく、介助の負担を低減でき、かつ、高齢者や身体弱者が車椅子から理美容椅子に容易に乗り降りできる。
【図面の簡単な説明】
【０００８】
【図１】本発明の実施の一形態を示した平面図であり、（Ａ）は肘掛部前方固定状態の平面図であり、（Ｂ）は肘掛部後方最終揺動状態の平面図である。
【図２】本発明の実施の一形態を示した正面図であり、（Ａ）は肘掛部前方固定状態の正面図であり、（Ｂ）は肘掛部側外方中間揺動状態の正面図である。
【図３】本発明の実施の一形態を示した側面図であり、（Ａ）は肘掛部前方固定状態の側面図であり、（Ｂ）は肘掛部後方最終揺動状態の側面図である。
【図４】本発明の理美容椅子の要部側面図であり、（Ａ）は肘掛部前方固定状態に於けるロック状態の要部側面図であり、（Ｂ）はロック解除状態の要部側面図であり、（Ｃ）は肘掛部後方最終揺動状態の要部側面図である。
【発明を実施するための形態】
【０００９】
以下、実施の形態を示す図面に基づき本発明を詳説する。
図１〜図３に示すように、本発明の理美容椅子は、背もたれ部１と座部２と左右一対の肘掛部３，３とを備え、背もたれ部１及び座部２及び左右の肘掛部３，３をベースフレーム部６に取着して支持し、ベースフレーム部６を昇降用シリンダ４を介して支持する基台部８を備えている。ベースフレーム部６の前端縁には、垂れ片６Ａが延設され、垂れ片６Ａの下部から前方に向けてステップ部５が取着されている。
肘掛部３，３の左右少なくとも一方が、後端近傍の鉛直軸心Ｌを中心として、全体を１８０°後方へ揺動させて、側方から座部２への乗り降り可能に構成されている。
【００１０】
肘掛部３は、閉環状であり、側面視で略平行四辺形状に形成されている。肘掛部３は、上辺３Ａ及び両側辺３Ｃ，３Ｃの上端部が、合成樹脂製の滑り止め部材１５にて被覆されている。肘掛部３は、下辺３Ｂの後端近傍に形成された孔部に回転軸７が挿入され、ベースフレーム部６に鉛直軸心Ｌ廻りに揺動自在に枢着されている。肘掛部３は、下辺３Ｂの中間部にロックピン９を上下スライド自在に保持し、しかも、（図示省略した）スプリングにて下方へ常時弾発付勢しておく。そして、ベースフレーム部６の上端面にはロックピン９を差込可能な係止孔１６が設けられている。なお、ロックピン９は、下端部に傾斜面を有している。肘掛部３が側外方から前方へ揺動しようとする際、ロックピン９の傾斜面がベースフレーム部６の角部に摺接してロックピン９が自動的に上昇し、ロックピン９を係止孔１６に差込むことが可能となるよう構成されている。肘掛部３の上辺３Ａには、取付部１３が設けられ、取付部１３の左右方向外側面に刈布掛け棒３１が前方へ揺動自在として枢着されている。
【００１１】
座部２は、ベースフレーム部６に固着された座部昇降用シリンダを介して支持され、ベースフレーム部６に対し昇降自在に構成されている。言い換えると、背もたれ部１に対し、座部２が上下スライド可能であって、座部２に乗る人の座高に合わせて、その高さを調節できるように構成されている。また、図示省略するが、座部２は、前座部と後座部とを有する分割構造としても良く、前座部と後座部が夫々、シリンダによって支持され、後座部だけを昇降させることができるように構成するも好ましい。
背もたれ部１は、座部２の後方に配設され、後方へ揺動（リクライニング）可能として構成されている。背もたれ部１は、上部外側面及び背面に、散髪や染毛等の施術を行う者が手で操作する主要操作スイッチＳが全て配設されている。この構成により、肘掛部３に主要操作スイッチＳが設けられることはなく、肘掛部３の構造が非常に簡素となり、かつ、肘掛部３の重量が軽く、小さな力で容易に後方に揺動させることが可能となる。
【００１２】
上述した本発明の理美容椅子の使用方法（作用）について説明する。
図４（Ａ）に示すように、肘掛部３が前方に向いている状態に於て、ロックピン９が係止孔１６に差込まれて、肘掛部３の揺動を規制してロック状態となる。この肘掛部前方固定状態では、肘掛部３がロックされて後方に揺動するのが規制され、座部２に高齢者や身体弱者が乗って散髪や染毛をする際に、肘掛部３，３に腕を乗せて体を支えることができ、安全に施術を行うことができる。また、ベースフレーム部６の左右外側方に突出するものがなく、施術の邪魔にならない。
【００１３】
次に、図４（Ｂ）に示すように、ロックピン９を少し上方（矢印Ｎ参照）に持ち上げ、係止孔１６から引抜いて、ロックを解除して、小角度だけ側外方へ揺動してからロックピン９から手を離し、肘掛部３を側外方から後方へ、図４（Ｃ）のように、揺動させる。この際、肘掛部３が、鉛直軸心Ｌを中心として全体を後方へ揺動させるため、肘掛部３全体の重量を支えなくても、小さな力で軽く揺動させることが可能である。肘掛部後方最終揺動状態では、高齢者や身体弱者が車椅子から座部２に移動する際、前方から後向きに腰を下ろす必要がなく、側方から座部２に乗り移ることができる。つまり、肘掛部３を後方に揺動されることで乗り降りの邪魔にならず、介助者の負担を軽減し、また、乗り移りにかかる時間を短縮できる利点がある。
そして、高齢者や身体弱者が座部２に乗り移った後、肘掛部３を後方から前方へ揺動させて、肘掛部３をロックする。この際、ロックピン９を手で持ち上げなくても、ロックピン９の傾斜面がベースフレーム部６の角部に摺接してロックピン９が自動的に上昇し、ロックピン９を係止孔１６に差込んで、簡単に肘掛部３をロックすることができる。
このように、肘掛部３の構造が非常にシンプルで、容易かつ安価に製造できる。施術中は、肘掛部３をロックして保持でき、安全性が高く、簡単な操作を行うのみでロックを解除して、肘掛部３を前方から後方へ揺動させることができる。また、肘掛部３を後方から前方へ戻す際には、ロックピン９に手を触れずに、肘掛部３を揺動させるのみでロック状態とすることができ、至便である。
【００１４】
なお、本発明は、設計変更可能であって、例えば、肘掛部３の形状は自由に変更できる。また、後方にシャンプー台が設置されている場合に、肘掛部３がシャンプー台に衝突しないように、肘掛部３の揺動を前後１８０°の範囲より狭い角度範囲に制限されていても良い。
【００１５】
以上のように、本発明に係る理美容椅子は、肘掛部３，３の左右少なくとも一方が、後端近傍の鉛直軸心Ｌを中心として、全体を後方へ揺動させて、側方から座部２への乗り降り可能に構成されたので、高齢者や身体弱者が、容易かつ迅速に、側方から座部２に乗り降りできる。肘掛部３を後方へ揺動させることで乗り降りの邪魔になることなく、介助の負担を低減でき、かつ、高齢者や身体弱者が車椅子から（理美容椅子の）座部２に容易に移動できる。
【符号の説明】
【００１６】
２  座部
３  肘掛部
Ｌ  鉛直軸心
【図１】
2016016219.tif 000003
【図２】
2016016219.tif 000004
【図３】
2016016219.tif 000005
【図４】
2016016219.tif 000006